(57)【要約】【課題】  部品の点数が少なく構造が簡単であり、しかも衛生的で片手操作が可能な折り畳み式歯ブラシを提供する。【解決手段】  折り畳み式歯ブラシ１０は、ブラシ１を取付可能な取付部２を先端に有する先端側柄３と、歯磨剤チューブ４の末端側の一部を取付可能な取付部５を末端に有する末端側柄６とを備える。末端側柄６は、先端部に軸受が形成され、先端側柄３の末端を軸受の間に挟んで枢軸により１８０°回動できるように連結している。そして、先端側柄３と末端側柄６を枢軸回りに回動して折り畳んだ状態では、歯磨剤チューブ４の先端がブラシ１の末端付近に配置される。【選択図】  図１
2017140166.tif 000002
【特許請求の範囲】
【請求項１】
ブラシを取付可能な取付部又はブラシを先端に有する第１の柄と、
歯磨剤チューブを取付可能な取付部を末端に有する第２の柄とを備え、
前記第１の柄の末端と前記第２の柄の先端を折り畳み可能に連結し、
折り畳んだ状態で、前記歯磨剤チューブの先端が前記ブラシと対向する位置又は前記ブラシの末端付近に配置されることを特徴とする折り畳み式歯ブラシ。
【発明の詳細な説明】
【技術分野】
【０００１】
本発明は、折り畳み式歯ブラシに係り、特に、部品の点数が少なく構造が簡単であり、しかも衛生的で片手操作が可能な折り畳み式歯ブラシに関する。
【背景技術】
【０００２】
従来、折り畳み式歯ブラシとしては、例えば、特許文献１〜３記載の技術が知られている。
【０００３】
特許文献１記載の折り畳み式歯ブラシは、ブラシ本体１とケース３が枢軸６で折り畳めるようにしてある。ケース３内のタンク１１に歯磨剤を充填しておき、使用時にブラシ本体１を開く前に、ケース側面に突出させた操作片１５を長孔１６に沿って移動させ、押出装置１３を押してタンク１１内の歯磨剤を導通路１２を介して押し出し、可撓板１９を押し開いてブラシ２の面に歯磨剤を付着させる。この操作でブラシ２に適量の歯磨剤を付けたのち、ブラシ本体１を回動させて開けばそのままで歯磨きを行うことができる（同文献〔００１１〕及び図４〜６）。
【０００４】
特許文献２記載の折り畳み式歯ブラシセットは、歯磨剤を入れる容器と歯ブラシの柄に各々連結部を設け、これらと密封よく連結できる蝶番連結部を設け、蝶番連結部は、回転滑り構造として折りたため、歯磨剤の供給は、蝶番連結部に設けた歯磨剤の通過用空間と歯ブラシの柄に設けた供給穴、植毛部分に設けた封止弁を通して、容器に設けた押出し部を押すことにより、歯磨剤を歯ブラシ側に供給する構造で構成される。
【０００５】
特許文献３記載の折り畳み式歯ブラシは、差し替え可能な折り畳み式歯ブラシ軸（１）と、折り畳み蝶番（６）により連結されたケースを兼ねた握り部（２）と、ケースに内蔵された粒状歯磨剤（３）及びその下部に回転する定量吐出機構（４）を備える。
【先行技術文献】
【特許文献】
【０００６】
【特許文献１】特開２００４−２４２９８５号公報
【特許文献２】実登第３００６９５９号公報
【特許文献３】実登第３０２２５９９号公報
【発明の概要】
【発明が解決しようとする課題】
【０００７】
しかしながら、特許文献１記載の折り畳み式歯ブラシにあっては、次の問題点があった。
【０００８】
第１は、部品の点数が多く、構造が複雑であるという点である。すなわち、部品として、操作片１５、ピストンロッド１４、押出装置１３及び可撓板１９が必要であり、構造として、タンク１１及び導通路１２をケース３の内部に形成しなければならない。このため、製造コストが高くなる。
【０００９】
第２は、歯磨剤を補充する手間があるという点である。すなわち、歯磨剤がなくなった場合、注入口１８の蓋を開け、歯磨剤チューブの先端を注入口１８に差し込み、タンク１１に歯磨剤を注入する作業が必要となる。
【００１０】
第３は、衛生的でないという点である。すなわち、タンク１１内に雑菌が繁殖した場合にタンク１１内を洗浄したりタンク１１を交換したりすることができないので、不衛生となる。
【００１１】
第４は、歯磨剤をブラシに付ける作業に両手を使わなければならないという点である。すなわち、左手でケース３を保持し、右手で操作片１５を操作し、右手でブラシ本体１を折り畳むので、両手が必要となる。
【００１２】
また、特許文献２記載の折り畳み式歯ブラシセットにあっても、特許文献１記載の折り畳み式歯ブラシと同様に上記第１乃至第３の問題があった。
【００１３】
また、特許文献３記載の折り畳み式歯ブラシにあっても、特許文献１記載の折り畳み式歯ブラシと同様に上記第１乃至第４の問題があった。そのほか、練り歯磨剤を絞り出す構造となっていないため粒状歯磨剤を用いているが、口の中で歯磨剤をかみ砕かなければならず、面倒である。
【００１４】
そこで、本発明は、このような従来の技術の有する未解決の課題に着目してなされたものであって、部品の点数が少なく構造が簡単であり、しかも衛生的で片手操作が可能な折り畳み式歯ブラシを提供することを目的としている。
【課題を解決するための手段】
【００１５】
〔発明１〕  上記目的を達成するために、発明１の折り畳み式歯ブラシは、ブラシを取付可能な取付部又はブラシを先端に有する第１の柄と、歯磨剤チューブを取付可能な取付部を末端に有する第２の柄とを備え、前記第１の柄の末端と前記第２の柄の先端を折り畳み可能に連結し、折り畳んだ状態で、前記歯磨剤チューブの先端が前記ブラシと対向する位置又は前記ブラシの末端付近に配置される。
【００１６】
第１の柄がブラシを先端に有する構成の場合、まず、歯磨剤チューブを第２の柄に取り付ける。そして、第１の柄と第２の柄を折り畳んだ状態では、歯磨剤チューブの先端がブラシと対向する位置又はブラシの末端付近に配置されるので、第１の柄を親指以外の４指で支えながら、第２の柄に取り付けられた歯磨剤チューブを親指で押すことにより、歯磨剤チューブの先端から歯磨剤が吐出し、歯磨剤がブラシに塗布される。
【００１７】
また、第１の柄がブラシの取付部を先端に有する構成の場合、まず、ブラシを第１の柄に取り付け、歯磨剤チューブを第２の柄に取り付ける。そして、第１の柄と第２の柄を折り畳んだ状態では、歯磨剤チューブの先端がブラシと対向する位置又はブラシの末端付近に配置されるので、第１の柄を親指以外の４指で支えながら、第２の柄に取り付けられた歯磨剤チューブを親指で押すことにより、歯磨剤チューブの先端から歯磨剤が吐出し、歯磨剤がブラシに塗布される。
【００１８】
歯磨剤がなくなった場合は、歯磨剤チューブを第２の柄から取り外し、新しい歯磨剤チューブを第２の柄に取り付ければよい。
【００１９】
ここで、歯磨剤チューブ及びブラシの取付部を有する構成のブラシは、発明１の構成要件ではない。
【発明の効果】
【００２０】
以上説明したように、発明１の折り畳み式歯ブラシによれば、第１の柄及び第２の柄だけの構造であるので、部品の点数が少なく構造が簡単であり、製造コストを抑えることができる。また、歯磨剤がなくなった場合は、歯磨剤チューブを第２の柄から取り外し、新しい歯磨剤チューブを第２の柄に取り付ければよいので、歯磨剤を補充する手間を低減することができる。さらに、歯磨剤がなくなった場合は、歯磨剤チューブごと交換することができるので、タンク構造に比して不衛生になりにくい。さらに、第１の柄を親指以外の４指で支えながら歯磨剤チューブを親指で押せば、歯磨剤をブラシに付けることができるので、片手操作が可能となる。
【図面の簡単な説明】
【００２１】
【図１】折り畳み式歯ブラシ１０を展開した状態を示す正面図である。
【図２】折り畳み式歯ブラシ１０を折り畳んだ状態を示す正面図である。
【図３】折り畳み式歯ブラシ１０の垂直方向の断面図である。
【図４】折り畳み式歯ブラシ１０の使用状態を示す正面図である。
【発明を実施するための形態】
【００２２】
以下、本発明の実施の形態を説明する。図１乃至図４は、本実施の形態を示す図である。
【００２３】
まず、本実施の形態の構成を説明する。
図１は、折り畳み式歯ブラシ１０を展開した状態を示す正面図である。図２は、折り畳み式歯ブラシ１０を折り畳んだ状態を示す正面図である。図３は、折り畳み式歯ブラシ１０の垂直方向の断面図である。
【００２４】
折り畳み式歯ブラシ１０は、図１乃至図３に示すように、ブラシ１を取付可能な取付部２を先端に有する先端側柄３と、歯磨剤チューブ４の末端側の一部を取付可能な取付部５を末端に有する末端側柄６とを有して構成されている。
【００２５】
取付部２は、先端側柄３の先端部において先端側柄３の軸方向にねじ溝２ａを形成して構成されている。ブラシ１の末端側には、ねじ溝２ａに螺合するねじ溝が形成されており、ブラシ１の末端側をねじ込むことによりブラシ１を取り付けることができる。
【００２６】
取付部５は、末端側柄６の末端部において末端側柄６の軸方向にねじ溝５ａを形成して構成されている。歯磨剤チューブ４の末端側には、ねじ溝５ａに螺合するねじ溝が形成されており、歯磨剤チューブ４の末端側をねじ込むことにより歯磨剤チューブ４を取り付けることができる。歯磨剤チューブ４の先端には、ヒンジ４ａを介してキャップ４ｂが取り付けられている。
【００２７】
先端側柄３は、通常の歯ブラシの半分程度の長さとなっている。末端側柄６は、先端側柄３の半分よりやや短い長さとなっている。末端側柄６は、特許文献１記載の連結構造（同文献〔０００８〕及び図１、２）のように、先端部に軸受が形成され、先端側柄３の末端を軸受の間に挟んで枢軸により１８０°回動できるように連結している。そして、図２に示すように、先端側柄３と末端側柄６を枢軸回りに回動して折り畳んだ状態では、歯磨剤チューブ４の先端がブラシ１の末端付近に配置される。
【００２８】
次に、本実施の形態の動作を説明する。
図４は、折り畳み式歯ブラシ１０の使用状態を示す正面図である。
【００２９】
先端側柄３と末端側柄６を折り畳んだ状態では、図４に示すように、歯磨剤チューブ４の先端がブラシ１の末端付近に配置されるので、キャップ４ｂを取り外し、先端側柄３を親指以外の４指で支えながら、末端側柄６に取り付けられた歯磨剤チューブ４を親指で押すことにより、歯磨剤チューブ４の先端から歯磨剤が吐出し、歯磨剤がブラシに塗布される。
【００３０】
歯を磨く場合は、先端側柄３と末端側柄６を展開し、先端側柄３及び末端側柄６を把持して通常の歯ブラシと同様の操作で磨くことができる。
【００３１】
また、歯磨剤がなくなった場合は、歯磨剤チューブ４を末端側柄６から取り外し、新しい歯磨剤チューブ４を末端側柄６に取り付ければよい。
【００３２】
また、折り畳み式歯ブラシ１０を携帯する場合は、先端側柄３と末端側柄６を折り畳んだ状態にしてケース等に収容する。
【００３３】
次に、本実施の形態の効果を説明する。
本実施の形態では、折り畳み式歯ブラシ１０は、ブラシ１を取付可能な取付部２を先端に有する先端側柄３と、歯磨剤チューブ４の末端側の一部を取付可能な取付部５を末端に有する末端側柄６とを備え、先端側柄３の末端と末端側柄６の先端を折り畳み可能に連結し、折り畳んだ状態で、歯磨剤チューブ４の先端がブラシ１の末端付近に配置される。
【００３４】
これにより、先端側柄３及び末端側柄６だけの構造であるので、部品の点数が少なく構造が簡単であり、製造コストを抑えることができる。また、歯磨剤がなくなった場合は、歯磨剤チューブ４を末端側柄６から取り外し、新しい歯磨剤チューブ４を末端側柄６に取り付ければよいので、歯磨剤を補充する手間を低減することができる。さらに、歯磨剤がなくなった場合は、歯磨剤チューブ４ごと交換することができるので、タンク構造に比して不衛生になりにくい。さらに、先端側柄３を親指以外の４指で支えながら歯磨剤チューブ４を親指で押せば、歯磨剤をブラシ１に付けることができるので、片手操作が可能となる。
【００３５】
なお、構造上、練り歯磨剤を用いることを妨げられないので、練り歯磨剤を用いた場合、口の中で歯磨剤をかみ砕く面倒がない。
【００３６】
本実施の形態において、先端側柄３は、発明１の第１の柄に対応し、末端側柄６は、発明１の第２の柄に対応している。
【００３７】
〔変形例〕
なお、上記実施の形態において、取付部２は、ねじ式の取付構造を採用したが、これに限らず、ねじ溝のないソケット型の取付構造又はブラシ１をクリップ等で把持する取付構造など、任意の取付構造を採用することができる。ねじ式又はソケット型の取付構造においては、ブラシ１を雄とし先端側柄３を雌とする構造、又はブラシ１を雌とし先端側柄３を雄とする構造を採用し得る。把持する取付構造においても、ブラシ１を先端側柄３が把持する構造、又は先端側柄３をブラシ１が把持する構造を採用し得る。
【００３８】
また、上記実施の形態及びその変形例において、取付部５は、ねじ式の取付構造を採用したが、これに限らず、ねじ溝のないソケット型の取付構造又は歯磨剤チューブ４をクリップ等で把持する取付構造など、任意の取付構造を採用することができる。ねじ式又はソケット型の取付構造においては、歯磨剤チューブ４を雄とし先端側柄３を雌とする構造、又は歯磨剤チューブ４を雌とし先端側柄３を雄とする構造を採用し得る。把持する取付構造においても、歯磨剤チューブ４を先端側柄３が把持する構造、又は先端側柄３を歯磨剤チューブ４が把持する構造を採用し得る。
【００３９】
また、上記実施の形態及びその変形例において、取付部５は、歯磨剤チューブ４の末端側の一部を取付可能な構成としたが、これに限らず、歯磨剤チューブ４を取付可能な構造であれば、歯磨剤チューブ４のどの位置を取り付けるようになっていてもよい。例えば、歯磨剤チューブ４の胴体又は首元を保持する構造も採用し得る。
【００４０】
また、上記実施の形態及びその変形例において、先端側柄３は、ブラシ１を取付可能な取付部２を先端に有する構成としたが、これに限らず、ブラシ１を先端に有する構成とすることもできる。例えば、ブラシ１を一体に形成した構造か又はブラシ１を固着した構造を採用することができる。
【００４１】
また、上記実施の形態及びその変形例においては、先端側柄３と末端側柄６を折り畳んだ状態で、歯磨剤チューブ４の先端がブラシ１の末端付近に配置されるように構成したが、これに限らず、歯磨剤チューブ４の先端がブラシ１と対向する位置に配置されるように構成することもできる。
【００４２】
また、上記実施の形態及びその変形例においては、先端側柄３と末端側柄６の連結構造として枢軸回りに回動する構造を採用したが、これに限らず、特許文献３記載の連結構造、又は、アームの両端をそれぞれ回動自在に先端側柄３の末端と末端側柄６の先端に取り付けて連結する連結構造など、任意の連結構造を採用することができる。
【００４３】
また、上記実施の形態及びその変形例においては、先端側柄３及び末端側柄６を展開した状態を固定することについて特に説明しなかったが、先端側柄３及び末端側柄６を展開した状態を固定するロック機構等の固定手段を設けることもできる。固定手段により、先端側柄３及び末端側柄６を展開した状態を固定すれば、末端側柄６のみを把持して磨くこともできる。
【００４４】
また、上記実施の形態及びその変形例においては、折り畳んだ状態で先端側柄３と末端側柄６の間に間隔が空いているが、この場合、歯磨剤チューブ４を押したときに歯磨剤チューブ４の先端が下方に過度に傾かないように、歯磨剤チューブ４を支持する突起状の支持部材を先端側柄３の上面又は歯磨剤チューブ４の下面に設けることができる。この支持部材は、歯磨剤チューブ４の伸長方向上どこに設けてもよいが、歯磨剤チューブ４の先端側に位置するほど、歯磨剤チューブ４の傾きを抑制できるので好適である。
【００４５】
また、上記実施の形態及びその変形例においては、折り畳んだ状態で先端側柄３と末端側柄６の間に間隔が空いているが、これに限らず、間隔を空けることなく、折り畳んだ状態で先端側柄３の上面と末端側柄６の下面が接触するように構成することもできる。
【符号の説明】
【００４６】
１０…折り畳み式歯ブラシ，  １…ブラシ，  ２、５…取付部，  ２ａ、５ａ…ねじ溝，  ３…先端側柄，  ６…末端側柄，  ４…歯磨剤チューブ，  ４ａ…ヒンジ，  ４ｂ…キャップ
【図１】
2017140166.tif 000003
【図２】
2017140166.tif 000004
【図３】
2017140166.tif 000005
【図４】
2017140166.tif 000006
【手続補正書】
【提出日】平成28年9月7日(2016.9.7)
【手続補正１】
【補正対象書類名】特許請求の範囲
【補正対象項目名】全文
【補正方法】変更
【補正の内容】
【特許請求の範囲】
【請求項１】
ブラシを取付可能な取付部又はブラシを先端に有する第１の柄と、
歯磨剤チューブの末端側を長手方向に取付可能なソケット型の取付部を末端に有する第２の柄とを備え、
前記第１の柄の末端と前記第２の柄の先端を折り畳み可能に連結し、
折り畳んだ状態で、前記歯磨剤チューブの先端が前記ブラシと対向する位置又は前記ブラシの末端付近に配置されることを特徴とする折り畳み式歯ブラシ。
【請求項２】
ブラシを取付可能な取付部又はブラシを先端に有する第１の柄と、
歯磨剤チューブの末端及び当該取付部の一方を雄ねじとし他方を雌ねじとし、前記歯磨剤チューブの末端側を長手方向に取付可能なねじ式の取付部を末端に有する第２の柄とを備え、
前記第１の柄の末端と前記第２の柄の先端を折り畳み可能に連結し、
折り畳んだ状態で、前記歯磨剤チューブの先端が前記ブラシと対向する位置又は前記ブラシの末端付近に配置されることを特徴とする折り畳み式歯ブラシ。
【請求項３】
請求項１及び２のいずれか１項において、
前記第１の柄及び前記第２の柄を展開した状態を固定する固定手段を備えることを特徴とする折り畳み式歯ブラシ。
【請求項４】
請求項１乃至３のいずれか１項において、
折り畳んだ状態で、前記歯磨剤チューブを支持する支持手段を、前記第１の柄の前記歯磨剤チューブに対向する面又は前記歯磨剤チューブの前記第１の柄に対向する面に設けたことを特徴とする折り畳み式歯ブラシ。
【請求項５】
請求項４において、
前記支持手段は、前記歯磨剤チューブの先端側に設けられていることを特徴とする折り畳み式歯ブラシ。
【請求項６】
請求項１乃至５のいずれか１項において、
前記第１の柄の取付部は、前記ブラシの末端側を長手方向に取付可能なソケット型の取付部であることを特徴とする折り畳み式歯ブラシ。
【請求項７】
請求項１乃至５のいずれか１項において、
前記第１の柄の取付部は、前記ブラシの末端及び当該取付部の一方を雄ねじとし他方を雌ねじとし、前記ブラシの末端側を長手方向に取付可能なねじ式の取付部であることを特徴とする折り畳み式歯ブラシ。
【手続補正２】
【補正対象書類名】明細書
【補正対象項目名】００２５
【補正方法】変更
【補正の内容】
【００２５】
取付部２は、先端側柄３の先端部において先端側柄３の長手方向にねじ溝２ａを形成して構成されている。ブラシ１の末端側には、ねじ溝２ａに螺合するねじ溝が形成されており、ブラシ１の末端側をねじ込むことによりブラシ１を取り付けることができる。
【手続補正３】
【補正対象書類名】明細書
【補正対象項目名】００２６
【補正方法】変更
【補正の内容】
【００２６】
取付部５は、末端側柄６の末端部において末端側柄６の長手方向にねじ溝５ａを形成して構成されている。歯磨剤チューブ４の末端側には、ねじ溝５ａに螺合するねじ溝が形成されており、歯磨剤チューブ４の末端側をねじ込むことにより歯磨剤チューブ４を取り付けることができる。歯磨剤チューブ４の先端には、ヒンジ４ａを介してキャップ４ｂが取り付けられている。
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
ブラシを取付可能な取付部又はブラシを先端に有する第１の柄と、
歯磨剤チューブの末端側を長手方向に取付可能なソケット型の取付部を末端に有し把持部となる第２の柄とを備え、
前記第１の柄の末端と前記第２の柄の先端を折り畳み可能に連結し、
折り畳んだ状態で、前記歯磨剤チューブの先端が前記ブラシと対向する位置又は前記ブラシの末端付近に配置されることを特徴とする折り畳み式歯ブラシ。
【請求項２】
ブラシを取付可能な取付部又はブラシを先端に有する第１の柄と、
歯磨剤チューブの末端及び当該取付部の一方を雄ねじとし他方を雌ねじとし、前記歯磨剤チューブの末端側を長手方向に取付可能なねじ式の取付部を末端に有し把持部となる第２の柄とを備え、
前記第１の柄の末端と前記第２の柄の先端を折り畳み可能に連結し、
折り畳んだ状態で、前記歯磨剤チューブの先端が前記ブラシと対向する位置又は前記ブラシの末端付近に配置されることを特徴とする折り畳み式歯ブラシ。
【請求項３】
請求項１及び２のいずれか１項において、
前記第１の柄及び前記第２の柄を展開した状態を固定する固定手段を備えることを特徴とする折り畳み式歯ブラシ。
【請求項４】
請求項１乃至３のいずれか１項において、
折り畳んだ状態で、前記歯磨剤チューブを支持する支持手段を、前記第１の柄の前記歯磨剤チューブに対向する面又は前記歯磨剤チューブの前記第１の柄に対向する面に設けたことを特徴とする折り畳み式歯ブラシ。
【請求項５】
請求項４において、
前記支持手段は、前記歯磨剤チューブの先端側に設けられていることを特徴とする折り畳み式歯ブラシ。
【請求項６】
請求項１乃至５のいずれか１項において、
前記第１の柄の取付部は、前記ブラシの末端側を長手方向に取付可能なソケット型の取付部であることを特徴とする折り畳み式歯ブラシ。
【請求項７】
請求項１乃至５のいずれか１項において、
前記第１の柄の取付部は、前記ブラシの末端及び当該取付部の一方を雄ねじとし他方を雌ねじとし、前記ブラシの末端側を長手方向に取付可能なねじ式の取付部であることを特徴とする折り畳み式歯ブラシ。